(57)【要約】【課題】  用紙サイズに関わらずユーザーが指定した位置にステープル、パンチすることで、ユーザーの利便性を高めることができるプリンタドライバを提供する。【解決手段】  用紙後処理としてのステープル指定可能なプリンタを駆動するプリンタドライバにおいて、大サイズ用紙の印刷に際し、指定された位置にステープルできない場合には、当該大サイズ用紙を縮小し、指定位置にステープルして印刷する機能を有する。【選択図】        図１
2006260111.tif 000002
【特許請求の範囲】
【請求項１】
用紙後処理としてのステープル指定可能なプリンタを駆動するプリンタドライバにおいて、大サイズ用紙の印刷に際し、指定された位置にステープルできない場合には、当該大サイズ用紙の画像データを縮小すると共に、使用する用紙サイズを小さくして画像形成した上で、当該用紙の指定位置にステープルして印刷する機能を有することを特徴とするプリンタドライバ。
【請求項２】
用紙後処理としてのステープル指定可能なプリンタを駆動するプリンタドライバにおいて、小サイズ用紙の印刷に際し、指定された位置にステープルできない場合には、当該小サイズ用紙の画像データを拡大すると共に、使用する用紙サイズを大きくして画像形成した上で、当該用紙の指定位置にステープルして印刷する機能を有することを特徴とするプリンタドライバ。
【請求項３】
上記機能を有効にするか無効にするかを選択する機能を有することを特徴とする請求項１又は２記載のプリンタドライバ。
【請求項４】
用紙後処理としてのパンチ指定可能なプリンタを駆動するプリンタドライバにおいて、大サイズ用紙の印刷に際し、指定された位置にパンチできない場合には、当該大サイズ用紙の画像データを縮小すると共に、用紙サイズを小さくして画像形成した上で、当該用紙の指定位置にパンチして印刷する機能を有することを特徴とするプリンタドライバ。
【請求項５】
用紙後処理としてのパンチ指定可能なプリンタを駆動するプリンタドライバにおいて、小サイズ用紙の印刷に際し、指定された位置にパンチできない場合には、当該小サイズ用紙の画像データを拡大すると共に、用紙サイズを大きくして画像形成した上で、当該用紙の指定位置にパンチして印刷する機能を有するプリンタドライバ。
【請求項６】
上記機能を有効にするか無効にするか選択する機能を有する請求項４又は５記載のプリンタドライバ。
【請求項７】
用紙後処理としてのステープル指定可能なプリンタの用紙後処理制御方法において、大サイズ用紙の印刷に際し、指定された位置にステープルできない場合には、当該大サイズ用紙の画像データを縮小すると共に、用紙サイズを小さくした上で画像形成し、当該用紙の指定位置にステープルして印刷する用紙後処理制御方法。
【請求項８】
用紙後処理としてのステープル指定可能なプリンタの用紙後処理制御方法において、小サイズ用紙の印刷に際し、指定された位置にステープルできない場合には、当該小サイズ用紙の画像データを拡大すると共に、用紙サイズを大きくした上で画像形成し、当該用紙の指定位置にステープルして印刷する用紙後処理制御方法。
【請求項９】
用紙後処理としてのパンチ指定可能なプリンタの用紙後処理制御方法において、大サイズ用紙の印刷に際し、指定された位置にパンチできない場合には、当該大サイズ用紙の画像データを縮小すると共に、用紙サイズを小さくした上で画像形成し、当該用紙の指定位置にパンチして印刷する用紙後処理制御方法。
【請求項１０】
用紙後処理としてのパンチ指定可能なプリンタの用紙後処理制御方法において、小サイズ用紙の印刷に際し、指定された位置にパンチできない場合には、当該小サイズ用紙の画像データを拡大すると共に、用紙サイズを大きくした上で画像形成し、当該用紙の指定位置にパンチして印刷する用紙後処理制御方法。
【発明の詳細な説明】
【技術分野】
【０００１】
本発明は、プリンタの上位装置であるホスト装置にインストールされるプリンタドライバ（プログラム）及び用紙後処理制御方法に関する。
【背景技術】
【０００２】
プリンタ等によって画像形成を受けた用紙を受け入れてステープル、パンチ等の後処理を行う用紙後処理装置が知られている。このような用紙後処理装置、或いは用紙後処理機能を有するプリンタにおいて、ステープル、パンチなどを指定して印刷を行う場合、機械的な制約から指定位置にステープル、パンチできない場合もある。
図５はＡ３／Ｂ４サイズなどの大サイズ用紙におけるステープル可能位置、不可能位置を示す図である。大サイズ用紙の場合、図に示すように、ステープル可能位置は用紙の上端のみであり、小、中サイズ用紙においてステープル頻度が高い左右両端にステープルを行うことができないという不具合がある。パンチの場合も同様である。またＡ５／Ｂ６サイズなどの小サイズ用紙の場合も同様である。
【発明の開示】
【発明が解決しようとする課題】
【０００３】
プリンタの上位装置であるホスト装置にインストールされ、プリンタを駆動するプリンタドライバでは、用紙サイズとステープル・パンチ可能位置とで排他制御を行っているものもあるが、ドキュメントの途中に別サイズの用紙がある文書の場合には、ステープル、パンチが解除されてしまうこともある。
本発明は、用紙サイズに関わらずユーザーが指定した位置にステープル、パンチすることで、ユーザーの利便性を高めることができるプリンタドライバ及び用紙後処理制御方法を提供することを目的とする。
【課題を解決するための手段】
【０００４】
上記目的を達成するために、請求項１記載の発明は、用紙後処理としてのステープル指定可能なプリンタを駆動するプリンタドライバにおいて、大サイズ用紙の印刷に際し、指定された位置にステープルできない場合には、当該大サイズ用紙を縮小し、指定位置にステープルして印刷する機能を有するプリンタドライバを最も主要な特徴とする。
請求項２記載の発明は、用紙後処理としてのステープル指定可能なプリンタを駆動するプリンタドライバにおいて、小サイズ用紙の印刷に際し、指定された位置にステープルできない場合には、当該小サイズ用紙を拡大し、指定位置にステープルして印刷する機能を有するプリンタドライバを最も主要な特徴とする。
請求項３記載の発明は、上記機能を有効にするか無効にするか選択する機能を有する請求項１又は２記載のプリンタドライバを主要な特徴とする。
請求項４記載の発明は、用紙後処理としてのパンチ指定可能なプリンタを駆動するプリンタドライバにおいて、大サイズ用紙の印刷に際し、指定された位置にパンチできない場合には、当該大サイズ用紙を縮小し、指定位置にパンチして印刷する機能を有するプリンタドライバを最も主要な特徴とする。
請求項５記載の発明は、用紙後処理としてのパンチ指定可能なプリンタを駆動するプリンタドライバにおいて、小サイズ用紙の印刷に際し、指定された位置にパンチできない場合には、当該小サイズ用紙を拡大し、指定位置にパンチして印刷する機能を有するプリンタドライバを最も主要な特徴とする。
【０００５】
請求項６記載の発明は、上記機能を有効にするか無効にするか選択する機能を有する請求項４又は５記載のプリンタドライバを主要な特徴とする。
請求項７記載の発明は、用紙後処理としてのステープル指定可能なプリンタの用紙後処理制御方法において、大サイズ用紙の印刷に際し、指定された位置にステープルできない場合には、当該大サイズ用紙を縮小し、指定位置にステープルして印刷する用紙後処理制御方法を最も主要な特徴とする。
請求項８記載の発明は、用紙後処理としてのステープル指定可能なプリンタの用紙後処理制御方法において、小サイズ用紙の印刷に際し、指定された位置にステープルできない場合には、当該小サイズ用紙を拡大し、指定位置にステープルして印刷する用紙後処理制御方法を最も主要な特徴とする。
請求項９記載の発明は、用紙後処理としてのパンチ指定可能なプリンタの用紙後処理制御方法において、大サイズ用紙の印刷に際し、指定された位置にパンチできない場合には、当該大サイズ用紙を縮小し、指定位置にパンチして印刷する用紙後処理制御方法を最も主要な特徴とする。
請求項１０記載の発明は、用紙後処理としてのパンチ指定可能なプリンタの用紙後処理制御方法において、小サイズ用紙の印刷に際し、指定された位置にパンチできない場合には、当該小サイズ用紙を拡大し、指定位置にパンチして印刷する用紙後処理制御方法を最も主要な特徴とする。
【発明の効果】
【０００６】
本発明によれば、大サイズ用紙の印刷に際し、指定された位置にステープル、パンチできない場合には、当該大サイズ用紙に対する形成画像サイズを縮小し、逆に小サイズ用紙の印刷に際し、指定された位置にステープル、パンチできない場合には、当該小サイズ用紙に対する形成画像サイズを拡大し、指定位置にステープル、パンチして印刷するようにしたので、用紙サイズに関わらずユーザーが指定した位置にステープル、パンチすることができ、ユーザーの利便性を高めることができる。
【発明を実施するための最良の形態】
【０００７】
以下、本発明の実施の形態を図面に従って説明する。
本発明の用紙後処理機能を備えたプリンタは、例えば電子写真式の画像形成装置、インクジェットプリンタ、その他の画像形成装置であり、プリンタには用紙上に画像データに応じた可視像を形成（転写、定着、或いは印字）する画像形成部と、用紙搬送手段と、用紙後処理装置と、それらの動作を制御する制御手段が装備されている。
本発明の一つの特徴的な構成は、用紙後処理としてのステープル、或いはパンチを指定可能なプリンタを駆動するプリンタドライバ、或いは用紙後処理制御方法において、大サイズ用紙の印刷に際し、指定された位置にステープル、パンチできない場合には、当該大サイズ用紙の画像データを縮小すると共に、使用する用紙サイズを小さいサイズに変更して画像形成し（当該用紙上に画像記録し）、当該用紙の指定位置にステープル、又はパンチして印刷するように構成した点にある。つまり、画像データを縮小すると共に、大サイズ用紙よりも小さいサイズの用紙を使用してステープル、パンチする。
次に、本発明の他の特徴的な構成は、用紙後処理としてのステープル、或いはパンチを指定可能なプリンタを駆動するプリンタドライバ、或いは用紙後処理制御方法において、制御手段が、小サイズ用紙の印刷に際し、指定された位置にステープル、或いはパンチできない場合には、当該小サイズ用紙の画像データを拡大すると共に、使用する用紙サイズを大きいものに変更して画像形成し、指定位置にステープル、又はパンチして印刷するようにした点にある。つまり、画像データを拡大すると共に、小サイズ用紙に代えてそれより大きいサイズの用紙を使用して、ステープル、パンチする。
更に、上記各機能を有効にするか無効にするか選択する機能をも有するようにした点も特徴的である。
まず第１の実施形態を図１に基づいて説明する。図１は本発明の第１の実施形態に係るプリンタドライバの動作（用紙後処理動作）を示すフローチャートである。印刷用紙のうち、１ページから３ページと５ページはＡ４サイズが使用され、４ページはＢ４サイズとし、用紙の左２個所にステープルすることを前提とする。
印刷開始に際し、指定されている位置にステープルできるか判断する（Ｓ１）。４ページ目はＢ４サイズであるから、このページ用の画像はＡ４サイズ用に縮小して印刷データを作成する（Ｓ２、ここでＮは４）。また他のページはステープルできるので、等倍で印刷データを作成する（Ｓ３、ここでＮは１〜３、５）。この処理を最後のページまで繰り返す（Ｓ４）。
【０００８】
次に第２の実施形態を図２に基づいて説明する。図２は本発明の第２の実施形態に係るプリンタドライバの動作（用紙後処理動作）を示すフローチャートである。印刷用紙のうち、１ページから３ページと５ページはＡ４サイズが使用され、４ページはＢ６サイズとし、用紙の左２個所にステープルすることを前提とする。
印刷開始に際し、指定されている位置にステープルできるか判断する（Ｓ１）。４ページはＢ６サイズであるから、このページの画像はＡ４サイズ用に拡大して印刷データを作成する（Ｓ２、ここでＮは４）。また他のページはステープルできるので、等倍で印刷データを作成する（Ｓ３、ここでＮは１〜３、５）。この処理を最後のページまで繰り返す（Ｓ４）。
次に、後処理としてパンチを実施する第３の実施形態を図３に基づいて説明する。図３は本発明の第３の実施形態に係るプリンタドライバの動作（用紙後処理動作）を示すフローチャートである。印刷用紙のうち、１ページから３ページと５ページはＡ４サイズが使用され、４ページはＢ４サイズとし、用紙の左２個所にパンチすることを前提とする。
印刷開始に際し、指定されている位置にパンチできるか判断する（Ｓ１）。４ページはＢ４サイズであるから、このページに対する画像データはＡ４に縮小して印刷データを作成する（Ｓ２、ここでＮは４）。また他のページはステープルできるので、等倍で印刷データを作成する（Ｓ３、ここでＮは１〜３、５）。この処理を最後のページまで繰り返す（Ｓ４）。
次に第４の実施形態を図４に基づいて説明する。図４は本発明の第４の実施形態に係るプリンタドライバの動作（用紙後処理動作）を示すフローチャートである。印刷用紙のうち、１ページから３ページと５ページはＡ４サイズが使用され、４ページはＢ６サイズとし、用紙の左２個所にパンチすることを前提とする。
印刷開始に際し、指定されている位置にパンチできるか判断する（Ｓ１）。４ページはＢ６サイズであるから、このページの画像データはＡ４に拡大して印刷データを作成する（Ｓ２、ここでＮは４）。また他のページはステープルできるので、等倍で印刷データを作成する（Ｓ３、ここでＮは１〜３、５）。この処理を最後のページまで繰り返す（Ｓ４）。
【図面の簡単な説明】
【０００９】
【図１】本発明の第１の実施形態に係るプリンタドライバの動作（用紙後処理動作）を示すフローチャート。
【図２】本発明の第２の実施形態に係るプリンタドライバの動作（用紙後処理動作）を示すフローチャート。
【図３】本発明の第３の実施形態に係るプリンタドライバの動作（用紙後処理動作）を示すフローチャート。
【図４】本発明の第４の実施形態に係るプリンタドライバの動作（用紙後処理動作）を示すフローチャート。
【図５】Ａ３／Ｂ４サイズなどの大サイズ用紙におけるステープル可能位置、不可能位置を示す図。
【図１】
2006260111.tif 000003
【図２】
2006260111.tif 000004
【図３】
2006260111.tif 000005
【図４】
2006260111.tif 000006
【図５】
2006260111.tif 000007